(57)【要約】【課題】通電時におけるタブ群の溶接部の温度上昇を抑制する。【解決手段】電極は、矩形状の本体部１４ｂと、本体部１４ｂの縁部から突出したタブ１４ｃとを有し、電極組立体１２は、本体部１４ｂとセパレータ１６とが積層された積層部１７と、タブ１４ｃが積層されたタブ群３０とを有し、タブ群３０は、タブ１４ｃの先端が段差状に積層された段差部３０ａと、当該段差部３０ａに連続して設けられた平坦部３０ｂとを有し、段差部３０ａ及び平坦部３０ｂの両方に、導電部材２４に溶接された溶接部２６が設けられている。【選択図】図４
2020191209.tif 000002
【特許請求の範囲】
【請求項１】
電極とセパレータとが交互に積層された電極組立体と、
前記電極組立体と電気を授受する電極端子と、
前記電極組立体と前記電極端子とを電気的に接続する導電部材とを備える蓄電装置であって、
前記電極は、矩形状の本体部と、前記本体部の縁部から突出したタブとを有し、
前記電極組立体は、前記本体部と前記セパレータとが積層された積層部と、前記タブが積層されたタブ群とを有し、
前記タブ群は、前記タブの先端が段差状に積層された段差部と、当該段差部に連続して設けられた平坦部とを有し、
前記段差部及び前記平坦部の両方に、前記導電部材に溶接された溶接部が設けられていることを特徴とする蓄電装置。
【請求項２】
前記溶接部は、前記段差部及び前記平坦部に個別に設けられている請求項１に記載の蓄電装置。
【請求項３】
前記段差部の先端に、前記タブが折り曲げられた曲げ部を有する請求項１又は２に記載の蓄電装置。
【請求項４】
電極とセパレータとが交互に積層された電極組立体と、
前記電極組立体と電気を授受する電極端子と、
前記電極組立体と前記電極端子とを電気的に接続する導電部材とを備える蓄電装置の製造方法であって、
前記電極が有する矩形状の本体部と、前記セパレータとを積層して積層部を形成する積層工程と、
前記本体部の縁部から突出したタブを積層して、前記タブの先端が段差状に積層された段差部と、当該段差部に連続して設けられた平坦部とを有するタブ群を形成するタブ群形成工程と、
前記段差部及び前記平坦部を前記導電部材に溶接して溶接部を形成する溶接工程と、
前記溶接工程を経た電極組立体をケースに収納する収納工程とを有することを特徴とする蓄電装置の製造方法。
【請求項５】
前記溶接工程において、前記段差部を前記導電部材に溶接して溶接部を形成するとともに、当該溶接部とは別に前記平坦部を前記導電部材に溶接して溶接部を形成する請求項４に記載の蓄電装置の製造方法。
【請求項６】
前記溶接工程の後に、前記段差部の先端を折り曲げて曲げ部を形成する曲げ工程を有する請求項４又は５に記載の蓄電装置の製造方法。
【発明の詳細な説明】
【技術分野】
【０００１】
本発明は、蓄電装置及び蓄電装置の製造方法に関する。
【背景技術】
【０００２】
特許文献１は、電極とセパレータとが交互に積層された電極組立体と、電極組立体と電気を授受する電極端子と、電極組立体と電極端子とを電気的に接続する導電部材とを備える蓄電装置について記載している。
【０００３】
図２０に示すように、電極７１は、活物質層が形成された本体部７１ａと、本体部７１ａの縁部から突出したタブ７１ｂとを有している。電極組立体７０は、電極７１の本体部７１ａとセパレータ７２とが積層された積層部７５と、タブ７１ｂが積層されたタブ群７６とを有している。タブ群７６は、タブ７１ｂの先端が段差状に積層された段差部７６ａと、段差部７６ａに連続して設けられた平坦部７６ｂとを有している。段差部７６ａの先端が折り曲げられた状態で、タブ群７６は導電部材７４と保護板７７との間に挟みこまれている。タブ群７６の平坦部７６ｂには、導電部材７４及び保護板７７に溶接された溶接部７８が設けられている。
【先行技術文献】
【特許文献】
【０００４】
【特許文献１】特開２０１５−２２５７４０号公報
【発明の概要】
【発明が解決しようとする課題】
【０００５】
特許文献１等の蓄電装置は、通電時の温度変化が小さいことが望まれている。通電時の温度変化が生じ易い部位としては、例えば、タブ群７６の溶接部７８が挙げられる。本発明は、こうした実情に鑑みてなされたものであり、その目的は、通電時におけるタブ群の溶接部の温度上昇を抑制することができる蓄電装置及び蓄電装置の製造方法を提供することにある。
【課題を解決するための手段】
【０００６】
上記課題を解決するための蓄電装置は、電極とセパレータとが交互に積層された電極組立体と、前記電極組立体と電気を授受する電極端子と、前記電極組立体と前記電極端子とを電気的に接続する導電部材とを備える蓄電装置であって、前記電極は、矩形状の本体部と、前記本体部の縁部から突出したタブとを有し、前記電極組立体は、前記本体部と前記セパレータとが積層された積層部と、前記タブが積層されたタブ群とを有し、前記タブ群は、前記タブの先端が段差状に積層された段差部と、当該段差部に連続して設けられた平坦部とを有し、前記段差部及び前記平坦部の両方に、前記導電部材に溶接された溶接部が設けられていることを要旨とする。
【０００７】
この構成によれば、段差部及び平坦部の両方に、導電部材に溶接された溶接部が設けられていることにより、平坦部のみに溶接部が設けられた態様に比べて、溶接部の面積を相対的に大きくすることが可能になる。溶接部の面積を相対的に大きくすることにより、タブ群と導電部材との間の電気抵抗をより小さくすることができるため、通電時の溶接部の温度上昇を抑制することができる。
【０００８】
上記蓄電装置について、前記溶接部は、前記段差部及び前記平坦部に個別に設けられていることが好ましい。この構成によれば、溶接部が１箇所である態様に比べて、温度が上昇する箇所を分散させることができる。そのため、通電時の溶接部の温度上昇を好適に抑制することができる。
【０００９】
上記蓄電装置について、前記段差部の先端に、前記タブが折り曲げられた曲げ部を有することが好ましい。この構成によれば、曲げ部を有することにより、平坦部が延びる方向における段差部の長さを短くして、段差部をコンパクト化することができる。
【００１０】
上記課題を解決するための蓄電装置の製造方法は、電極とセパレータとが交互に積層された電極組立体と、前記電極組立体と電気を授受する電極端子と、前記電極組立体と前記電極端子とを電気的に接続する導電部材とを備える蓄電装置の製造方法であって、前記電極が有する矩形状の本体部と、前記セパレータとを積層して積層部を形成する積層工程と、前記本体部の縁部から突出したタブを積層して、前記タブの先端が段差状に積層された段差部と、当該段差部に連続して設けられた平坦部とを有するタブ群を形成するタブ群形成工程と、前記段差部及び前記平坦部を前記導電部材に溶接して溶接部を形成する溶接工程と、前記溶接工程を経た電極組立体をケースに収納する収納工程とを有することを要旨とする。
【００１１】
この構成によれば、タブ群の段差部及び平坦部を導電部材に溶接して溶接部を形成する溶接工程を有することにより、タブ群の平坦部のみに溶接部が設けられた態様に比べて、溶接部の面積を相対的に大きくすることが可能になる。溶接部の面積を相対的に大きくすることにより、タブ群と導電部材との間の電気抵抗を相対的に小さくすることができるため、通電時の溶接部の温度上昇を抑制することができる。
【００１２】
上記蓄電装置の製造方法について、前記溶接工程において、前記段差部を前記導電部材に溶接して溶接部を形成するとともに、当該溶接部とは別に前記平坦部を前記導電部材に溶接して溶接部を形成することが好ましい。この構成によれば、段差部と平坦部のそれぞれ好適な箇所に溶接部を設けることができるため、設計の自由度が向上する。
【００１３】
上記蓄電装置の製造方法について、前記溶接工程の後に、前記段差部の先端を折り曲げて曲げ部を形成する曲げ工程を有することが好ましい。この構成によれば、段差部に形成された溶接部を起点として、段差部の先端を折り曲げることができるため、曲げ部を安定して形成することができる。
【発明の効果】
【００１４】
本発明の蓄電装置及び蓄電装置の製造方法によれば、通電時の溶接部の温度上昇を抑制することができる。
【図面の簡単な説明】
【００１５】
【図１】二次電池の分解斜視図。
【図２】二次電池の断面図。
【図３】電極組立体の構成要素を示す分解斜視図。
【図４】正極タブ群と正極導電部材の接合構造を示す二次電池の部分断面図。
【図５】図４の５−５線断面図。
【図６】タブ群形成工程を示す側面図。
【図７】タブ群形成工程を示す側面図。
【図８】溶接工程を示す側面図。
【図９】溶接工程を示す斜視図。
【図１０】押さえ治具の斜視図。
【図１１】押さえ治具の底面図。
【図１２】押さえ治具の断面図。
【図１３】曲げ工程を示す側面図。
【図１４】曲げ工程を示す側面図。
【図１５】曲げ工程を示す側面図。
【図１６】変更例の溶接部の正面図。
【図１７】変更例の溶接部の正面図。
【図１８】変更例の溶接部の正面図。
【図１９】変更例の正極タブ群と正極導電部材の接合構造を示す二次電池の部分断面図。
【図２０】従来技術の正極タブ群と正極導電部材の接合構造を示す二次電池の部分断面図。
【発明を実施するための形態】
【００１６】
本発明を積層型の電極組立体を備えた二次電池に具体化した実施形態について説明する。
図１及び図２に示すように、蓄電装置としての二次電池１０は、有底箱状のケース本体１１ａ及びその開口部を覆う蓋体１１ｂとで構成された四角箱状のケース１１内に、積層型の電極組立体１２及び電解液（図示せず）が収納されている。
【００１７】
図１及び図３に示すように、電極組立体１２は、金属箔１３の両面に活物質層１４ａを有する複数の電極としての正極１４と、金属箔１３の両面に活物質層１５ａを有する複数の電極としての負極１５とが、両者の間にセパレータ１６が介在する状態で積層されている。
【００１８】
正極１４は、活物質層１４ａが形成された矩形状の本体部１４ｂと、本体部１４ｂの縁部から突出した正極タブ１４ｃとを有している。正極タブ１４ｃは金属箔１３の一部が活物質層１４ａの一端から突出するようにして形成されている。
【００１９】
負極１５は、活物質層１５ａが形成された矩形状の本体部１５ｂと、本体部１５ｂの縁部から突出した負極タブ１５ｃとを有している。負極タブ１５ｃは金属箔１３の一部が活物質層１５ａの一端から突出するようにして形成されている。二次電池１０がリチウムイオン二次電池の場合、正極１４用の金属箔１３はアルミニウム箔が好ましく、負極１５用の金属箔１３は銅箔が好ましい。
【００２０】
セパレータ１６は、正極１４と負極１５との間の電気的絶縁性を確保するため、正極１４の本体部１４ｂ及び負極１５の本体部１５ｂより大きな矩形状に形成されている。
図１、４に示すように、電極組立体１２は、正極１４の本体部１４ｂと負極１５の本体部１５ｂとがセパレータ１６を介在して積層された積層部１７と、正極タブ１４ｃが積層された正極タブ群３０と、負極タブ１５ｃが積層された負極タブ群３１とを有している。以下、正極１４の本体部１４ｂと負極１５の本体部１５ｂとがセパレータ１６を介在して積層された方向を積層方向という。
【００２１】
正極タブ群３０は、図１及び図２において電極組立体１２の上端面の左側寄りに突設した状態で設けられている。負極タブ群３１は、電極組立体１２の上端面の右側寄りに突設した状態で設けられている。電極組立体１２の上端面は、電極組立体１２における正極タブ群３０及び負極タブ群３１が突設した側の端面であると言い換えることができる。
【００２２】
図２に示すように、電極組立体１２がケース１１に収納された状態において、電極端子としての正極端子２１及び負極端子２２は、蓋体１１ｂから突出している。正極端子２１及び負極端子２２は、蓋体１１ｂに形成された孔１１ｃに取り付けられたリング状の絶縁部材２３を貫通する状態で設けられている。ケース１１内において、正極端子２１は、導電部材としての正極導電部材２４に接続されており、負極端子２２は、導電部材としての負極導電部材２５に接続されている。なお、ケース本体１１ａの内面及び蓋体１１ｂの内面には、絶縁シート１１ｄが取着されている。
【００２３】
図１、４に示すように、正極タブ群３０及び負極タブ群３１は、それぞれ電極組立体１２の上端面に沿って延びるように折り曲げられている。正極タブ群３０は、正極導電部材２４に溶接されていることにより、正極端子２１と電気的に接続されている。負極タブ群３１は、負極導電部材２５に溶接されていることにより、負極端子２２と電気的に接続されている。
【００２４】
正極タブ群３０と正極導電部材２４の接合構造、及び、負極タブ群３１と負極導電部材２５の接合構造について説明する。なお、正極タブ群３０と正極導電部材２４の接合構造は、負極タブ群３１と負極導電部材２５の接合構造と同一構造であるため、以下では正極タブ群３０と正極導電部材２４の接合構造について説明する。正極タブ１４ｃの実際の数は、数十枚程度であるが、便宜上５枚を図示して説明する。
【００２５】
図４に示すように、正極タブ群３０は、全ての正極タブ１４ｃが積層部１７の積層方向における一端側（図４における左端側）に位置する正極タブ１４ｃ側に向かって集められ、かつ互いに当接する状態に積層されている。正極タブ群３０は、基端側で折り曲げられて、基端側よりも先端側が電極組立体１２の上端面に沿って延びるように構成されている。
【００２６】
正極導電部材２４は、長方形の板状に構成されており、短手方向が積層部１７の積層方向に沿うように配置されている。正極導電部材２４は、下側の面が、電極組立体１２の上端面と略平行となるように配置されている。
【００２７】
図４に示すように、正極タブ群３０は、タブの先端が段差状に積層された段差部３０ａと、段差部３０ａに連続して設けられた平坦部３０ｂとを有している。平坦部３０ｂは、段差部３０ａよりも正極タブ群３０の基端側に設けられており、厚さが略一定で、上下の両表面が平坦に構成されている。段差部３０ａの先端に、段差部３０ａを構成する複数の正極タブ１４ｃのうちの一部の正極タブ１４ｃの先端が電極組立体１２の上端面側に折れ曲がった曲げ部３０ｃが形成されている。
【００２８】
ここで、段差部３０ａは、正極タブ群３０の先端部において、複数の正極タブ１４ｃが段差状に積層された箇所における正極タブ１４ｃ全体を意味するものとする。また、平坦部３０ｂは、段差部３０ａよりも正極タブ群３０の基端側において、全ての正極タブ１４ｃが積層されて上下の両表面が平坦に構成された箇所における正極タブ１４ｃ全体を意味するものとする。
【００２９】
図４、５に示すように、段差部３０ａと平坦部３０ｂの両方に、正極導電部材２４に溶接された溶接部２６が個別に設けられている。具体的には、溶接部２６は、段差部３０ａの２箇所と、この２箇所とは別に、平坦部３０ｂの２箇所の合計４箇所に設けられている。なお、図４において、正極タブ群３０と正極導電部材２４の両方で灰色に示された領域が、両者が溶接された領域Ｐを意味する。この領域Ｐのうち、正極タブ群３０側の灰色で示された領域が、正極タブ群３０における正極導電部材２４に溶接された溶接部２６を意味するものとする。
【００３０】
二次電池１０の製造方法について説明する。
二次電池は、以下に記載する積層工程、タブ群形成工程、溶接工程、曲げ工程、収納工程を順に経ることにより製造される。
【００３１】
（積層工程）
積層工程では、正極１４、負極１５、及び、セパレータ１６を積層する。正極１４の本体部１４ｂと負極１５の本体部１５ｂとの間にセパレータ１６を介在させながら、正極１４の本体部１４ｂと負極１５の本体部１５ｂとを積層する。積層工程を行うことにより、電極組立体１２の積層部１７が形成される。なお、以下の各工程は、正極１４側と負極１５側とで同じ工程となるため、以下では、正極１４側について説明し、負極１５側についての説明は省略する。
【００３２】
（タブ群形成工程）
タブ群形成工程では、各正極タブ１４ｃを積層部１７の一端側に位置する正極タブ１４ｃ側に向かって集め、互いに当接する状態に積層して正極タブ群３０を形成する。
【００３３】
図６に示すように、作業台１８上に正極導電部材２４を配置する。次に、正極導電部材２４上の所定の位置に正極タブ１４ｃが配置されるように、作業台１８上に電極組立体１２の積層部１７を配置する。積層部１７の上方には、積層部１７を加圧する加圧治具４０が配置される。加圧治具４０は、平板状に構成されて積層部１７を加圧する加圧部４０ａと、加圧部４０ａの端部から加圧部４０ａの厚さ方向に延びて、正極タブ１４ｃを集める平板状の集箔部４０ｂとを備える。集箔部４０ｂは、正極タブ１４ｃと負極タブ１５ｃとを同時に寄せ集めることができる長さを有している。
【００３４】
図７に示すように、駆動装置（図示せず）を用いて加圧治具４０を下降させて、加圧治具４０の加圧部４０ａで電極組立体１２の積層部１７を積層方向に加圧して圧縮する。また、加圧治具４０の集箔部４０ｂで各正極タブ１４ｃを正極導電部材２４に接する正極タブ１４ｃに向かって寄せ集める。各正極タブ１４ｃを寄せ集めることにより、正極導電部材２４上に正極タブ群３０が形成される。正極タブ群３０における段差部３０ａと平坦部３０ｂとが、正極導電部材２４上に配置された状態となる。段差部３０ａの先端は、正極タブ群３０の平坦部３０ｂから段差部３０ａに向かう方向における正極導電部材２４の端部からはみ出た状態となる。以下、段差部３０ａの先端における正極導電部材２４の端部からはみ出した部分を、はみ出し部３０ｄとする。
【００３５】
（溶接工程）
図８に示すように、溶接工程では、加圧治具４０の集箔部４０ｂを用いて正極タブ群３０を形成した状態で、溶接装置（図示せず）を用いて正極タブ群３０と正極導電部材２４とを溶接して溶接部２６を形成する。溶接工程では、正極タブ群３０上に押さえ治具５０を配置して溶接を行う。
【００３６】
図９、１０に示すように、押さえ治具５０は、駆動装置（図示せず）に接続される柱状の接続部５０ａと、接続部５０ａの長手方向の端部に接続された矩形板状の押さえ部５０ｂとを備える。押さえ部５０ｂには、複数の貫通孔５０ｃが設けられている。具体的には、押さえ部５０ｂには、横断面が矩形状の貫通孔５０ｃが４個設けられている。貫通孔５０ｃは、接続部５０ａの長手方向（図１１の左右方向）に沿って２個形成されるとともに、この２個の貫通孔５０ｃで構成される一対の貫通孔５０ｃと同一形状を有する別の一対の貫通孔５０ｃが、接続部５０ａの短手方向（図１１の上下方向。）に沿って形成されている。
【００３７】
図１１に示すように、接続部５０ａの短手方向における押さえ部５０ｂの長さＬは、特に限定されないが、正極導電部材２４の短手方向の長さＮ（図５参照）と略等しいことが好ましい。
【００３８】
接続部５０ａの短手方向において、押さえ部５０ｂの両端部と、両端部に近接する位置に設けられた貫通孔５０ｃの内周面までの長さＳは、特に限定されないが、それぞれ、０．５ｍｍ〜２ｍｍであることが好ましく、０．５ｍｍ〜１ｍｍであることがより好ましい。長さＳが０．５ｍｍ〜２ｍｍであると、長さＳが相対的に短いため、押さえ部５０ｂの両端部付近まで貫通孔５０ｃが設けられた状態になる。押さえ部５０ｂに対して貫通孔５０ｃを相対的に大きくすることができるため、後述のように、押さえ部５０ｂで押さえられた正極タブ群３０のより広い領域に、溶接部２６を形成することが可能になる。なお、接続部５０ａの長手方向における押さえ部５０ｂの両端部と、両端部に近接する位置に設けられた貫通孔５０ｃの内周面までの長さも、上記長さＳと同程度であることが好ましい。
【００３９】
図１１、１２に示すように、押さえ部５０ｂの底面には、貫通孔５０ｃの周縁から押さえ部５０ｂの厚さ方向に突出する突出壁５０ｄが形成されている。突出壁５０ｄは、貫通孔５０ｃの全周を囲んだ状態で形成されている。この突出壁５０ｄによって、正極タブ群３０を好適に押さえつけて、正極タブ群３０を構成する各正極タブ１４ｃの位置ずれを抑制することができる。突出壁５０ｄの高さは特に限定されないが、０．２ｍｍ〜１．０ｍｍであることが好ましい。突出壁５０ｄの高さが０．２ｍｍ〜１．０ｍｍであることにより、正極タブ群３０をより好適に押さえつけて、正極タブ群３０を構成する各正極タブ１４ｃの位置ずれを抑制することができる。
【００４０】
図９に示すように、溶接工程では、接続部５０ａの短手方向における押さえ部５０ｂの両端部が、正極導電部材２４の短手方向の両端部と重なる位置に押さえ治具５０を配置する。この状態で、押さえ治具５０の一対の貫通孔５０ｃが、正極タブ群３０の段差部３０ａ上に位置するとともに、別の一対の貫通孔５０ｃが、正極タブ群３０の平坦部３０ｂ上に位置する。
【００４１】
図８に示すように、押さえ治具５０の貫通孔５０ｃの内側に矢印で示すようにレーザを照射して、正極タブ群３０と正極導電部材２４とを溶接して溶接部２６を形成する。溶接部２６は、正極タブ群３０の段差部３０ａと平坦部３０ｂとに、それぞれ、２個ずつ形成される。
【００４２】
図５に示すように、正極導電部材２４の短手方向の両端部から溶接部２６までの長さＭは、特に限定されないが、２．５ｍｍ〜４ｍｍであることが好ましい。溶接の際に正極タブ群３０と押さえ治具５０との溶着を防ぐために、押さえ治具５０の貫通孔５０ｃの内面と溶接部２６との間には、２ｍｍ程度の間隔を設ける必要がある。そのため、上記長さＭが２．５ｍｍ〜４ｍｍとなるように溶接部２６を設けることにより、押さえ部５０ｂの両端部と、両端部に近接する位置に設けられた貫通孔５０ｃの内周面までの長さＳが０．５ｍｍ〜２ｍｍである押さえ治具５０を用いた際に、２ｍｍ程度の間隔を設けて正極タブ群３０と押さえ部５０ｂとの溶着を好適に抑制することができる。さらに、押さえ部５０ｂで押さえられた正極タブ群３０のより広い領域に溶接部２６を形成することが可能になる。
【００４３】
（曲げ工程）
図１３〜１５に示すように、曲げ工程では、正極タブ群３０のはみ出し部３０ｄを折り曲げて、曲げ部３０ｃを形成する。
【００４４】
図１３に示すように、曲げ工程では、曲げ治具６０を用いて段差部３０ａの先端におけるはみ出し部３０ｄを折り曲げる。曲げ治具６０は、水平方向に配置された矩形板状の上壁部６０ａと、同じく水平方向に配置された矩形板状の下壁部６０ｂと、上壁部６０ａの端部と下壁部６０ｂの端部とを連結する連結部６０ｃとを備える。上壁部６０ａと下壁部６０ｂとは、鉛直方向に所定の間隔をおいた状態で連結部６０ｃによって連結されている。
【００４５】
上壁部６０ａにおける、連結部６０ｃに連結された端部である連結端部から、連結端部とは反対側に位置する開放された端部である開放端部６１までの長さは、下壁部６０ｂにおける連結端部から開放端部６２までの長さよりも長く構成されている。言い換えれば、上壁部６０ａの開放端部６１は、下壁部６０ｂの開放端部６２よりも水平方向に突出するように構成されている。下壁部６０ｂの上面は、連結部６０ｃに近づくにつれて上壁部６０ａに向かって板厚が厚くなるように構成されている。言い換えれば、下壁部６０ｂの上面は、開放端部６２に向かって若干下方に傾斜している。
【００４６】
上壁部６０ａと下壁部６０ｂにおける正極タブ１４ｃの幅方向の長さ（図１３の紙面奥側の長さ）は、特に限定されず、同方向における正極タブ１４ｃの長さより長くてもよいし、同方向における正極タブ１４ｃの長さと同程度か、それより短くてもよい。
【００４７】
図１４に示すように、曲げ治具６０が接続された駆動装置（図示せず）を用いて、曲げ治具６０を正極タブ群３０に接近するように移動させる。この際、曲げ治具６０の上壁部６０ａの開放端部６１が、はみ出し部３０ｄに当接して、はみ出し部３０ｄを電極組立体１２の積層部１７に向かって折り曲げるように曲げ治具６０を移動させる。はみ出し部３０ｄは、段差部３０ａに設けられた溶接部２６を起点として、正極導電部材２４側とは反対側に回動し、電極組立体１２の積層部１７に向かって折れ曲げる。作業台１８には、凹部（図示せず）が形成されており、この凹部に、曲げ治具６０の下壁部６０ｂは収容される。
【００４８】
図１５に示すように、さらに、曲げ治具６０を正極タブ群３０に接近するように移動させることにより、はみ出し部３０ｄは、正極タブ群３０の段差部３０ａ及び平坦部３０ｂと略平行な状態となって、曲げ部３０ｃが形成される。
【００４９】
（収納工程）
図４に示すように、正極タブ群３０の基端側を約９０°折り曲げて、正極タブ群３０の段差部３０ａ及び平坦部３０ｂが、電極組立体１２の積層部１７の積層方向に沿うように正極タブ群３０を配置する。電極組立体１２を積層部１７の下端面側からケース本体１１ａ内に収納する。正極導電部材２４に正極端子２１を接続した後、電極組立体１２が収納されたケース本体１１ａの開口部を蓋体１１ｂにより閉鎖する。正極導電部材２４に正極端子２１を接続する順序は特に限定されず、予め、正極導電部材２４に正極端子２１を接続した後、正極導電部材２４と電極組立体１２とをケース本体１１ａ内に収納し、その後、ケース本体１１ａの開口部を蓋体１１ｂで閉鎖してもよい。以上の工程を経ることにより、本実施形態の二次電池１０を製造することができる。上記各工程は、適宜順番を入れ替えて行ってもよい。
【００５０】
本実施形態の作用及び効果について説明する。以下、正極１４側の作用及び効果について説明するが、負極１５側も同様な作用及び効果を奏する。
（１）正極タブ群３０の段差部３０ａ及び平坦部３０ｂの両方に、正極導電部材２４に溶接された溶接部２６が設けられている。正極タブ群３０の平坦部３０ｂのみに溶接部２６が設けられた態様に比べて、溶接部２６の面積を相対的に大きくすることが可能になる。溶接部２６の面積を相対的に大きくすることにより、正極タブ群３０と正極導電部材２４との間の電気抵抗をより小さくすることができるため、通電時の溶接部２６の温度上昇を抑制することができる。
【００５１】
（２）溶接部２６は、段差部３０ａ及び平坦部３０ｂに個別に設けられている。溶接部２６が１箇所である態様に比べて、温度が上昇する箇所を分散させることができる。したがって、通電時の溶接部２６の温度上昇を好適に抑制することができる。また、段差部３０ａと平坦部３０ｂのそれぞれ好適な箇所に溶接部２６を設けることができるため、設計の自由度が向上する。
【００５２】
（３）溶接工程で用いる押さえ治具５０の押さえ部５０ｂが、複数の貫通孔５０ｃを有する。溶接部２６を形成する複数の箇所の周囲を押さえ部５０ｂで押さえた状態で溶接を行うことができる。したがって、正極タブ群３０の位置ずれを好適に抑制した状態で複数の溶接部２６を形成することができる。
【００５３】
（４）段差部３０ａの先端に、正極タブ群３０のはみ出し部３０ｄが折り曲げられた曲げ部３０ｃを有する。曲げ部３０ｃを有することにより、平坦部３０ｂが延びる方向における段差部３０ａの長さを短くして、段差部３０ａをコンパクト化することができる。また、曲げ部３０ｃが、電極組立体１２の積層部１７に向かって折れ曲げられていることにより、はみ出し部３０ｄが電極組立体１２の積層部１７やケース１１等に接触することを抑制することができる。
【００５４】
（５）溶接部２６が段差部３０ａに設けられていることにより、正極タブ群３０のはみ出し部３０ｄを、段差部３０ａに設けられた溶接部２６を起点として折り曲げることができる。正極タブ群３０における、はみ出し部３０ｄ以外の箇所が折れ曲がることを抑制することができるため、曲げ部３０ｃの長さをより短くすることができる。曲げ部３０ｃの長さをより短くすることにより、曲げ部３０ｃが、電極組立体１２の積層部１７やケース１１等に接触することを好適に抑制することができる。また、段差部３０ａに設けられた溶接部２６を起点として曲げ部３０ｃを形成することにより、曲げ部３０ｃを安定して形成することができる。
【００５５】
（６）押さえ治具５０の接続部５０ａの短手方向において、押さえ部５０ｂの両端部と、両端部に近接する位置に設けられた貫通孔５０ｃの内周面までの長さＳは、それぞれ、０．５ｍｍ〜２ｍｍである。正極導電部材２４の短手方向における両端部から溶接部２６までの長さＭを、２．５ｍｍ〜４ｍｍにすることができるため、正極タブ群３０と押さえ部５０ｂとの溶着を好適に抑制しながら、押さえ部５０ｂで押さえられた正極タブ群３０の領域のより広い範囲に溶接部２６を形成することが可能になる。
【００５６】
（７）押さえ治具５０の押さえ部５０ｂの底面には、貫通孔５０ｃの周縁から押さえ部５０ｂの厚さ方向に突出する突出壁５０ｄが形成されている。この突出壁５０ｄによって、正極タブ群３０を好適に押さえつけて、正極タブ群３０を構成する各正極タブ１４ｃの位置ずれを抑制することができる。
【００５７】
本実施形態は、以下のように変更して実施することができる。本実施形態及び以下の変更例は、技術的に矛盾しない範囲で互いに組み合わせて実施することができる。以下、正極１４側の変更例について説明するが、負極１５側も同様に変更して実施することができる。
【００５８】
○本実施形態では、正極タブ群３０の段差部３０ａと平坦部３０ｂとに、それぞれ、溶接部２６が２個ずつ形成されていたが、この態様に限定されない。溶接部２６の位置、及び、数は、適宜選択することができる。
【００５９】
図１６に示すように、例えば、正極タブ群３０の平坦部３０ｂに溶接部２６を２個形成するとともに、正極タブ群の段差部３０ａに、溶接部２６を３個形成してもよい。段差部３０ａに形成する溶接部２６は、４個以上であってもよい。
【００６０】
図１７に示すように、例えば、正極タブ群３０の平坦部３０ｂに溶接部２６を２個形成するとともに、正極タブ群３０の段差部３０ａに、溶接部２６を１個形成してもよい。正極タブ群３０の平坦部３０ｂに形成する溶接部２６の数も特に限定されず、１個でもよいし、３個以上であってもよい。
【００６１】
図１８に示すように、溶接部２６が、正極タブ群３０の段差部３０ａと平坦部３０ｂとに跨って一体に形成されていてもよい。溶接部２６が、段差部３０ａと平坦部３０ｂとに跨って一体に形成されていることにより、溶接部２６の面積をより大きくすることができる。
【００６２】
○正極タブ群３０のはみ出し部３０ｄが折り曲げられて形成された曲げ部３０ｃは、省略されていてもよい。
図１９に示すように、例えば、正極タブ群３０の段差部３０ａの先端が正極導電部材２４から殆どはみ出さないように、正極タブ１４ｃの先端を予め短くしたり、はみ出し部３０ｄを切断したりすることにより、曲げ部３０ｃを省略することができる。すなわち、曲げ工程は省略されていてもよい。
【００６３】
○本実施形態では、正極タブ群３０と負極タブ群３１の両方において、段差部と平坦部に溶接部２６が設けられていたが、この態様に限定されない。正極タブ群３０と負極タブ群３１のいずれか一方のみに、段差部と平坦部に溶接部２６が設けられていてもよい。
【００６４】
○本実施形態では、押さえ治具５０の押さえ部５０ｂに、横断面が矩形状の貫通孔５０ｃが設けられていたが、貫通孔５０ｃの形状は矩形状に限定されない。貫通孔５０ｃの形状は、例えば、オーバル形状、多角形状、円形状等、適宜選択することができる。
【００６５】
○本実施形態では、押さえ治具５０の押さえ部５０ｂに複数の貫通孔５０ｃが設けられていることによって、押さえ治具５０の位置を変更することなく、段差部３０ａ及び平坦部３０ｂに溶接部２６を形成することができるように構成されていたが、この態様に限定されない。押さえ治具５０の押さえ部５０ｂに貫通孔５０ｃが１個のみ形成されており、押さえ治具５０の位置を変更しながら、段差部３０ａ及び平坦部３０ｂに溶接部２６を形成するように構成されていてもよい。
【００６６】
○本実施形態では、押さえ部５０ｂの底面に、貫通孔５０ｃの周縁から押さえ部５０ｂの厚さ方向に突出する突出壁５０ｄが形成されていたが、この態様に限定されない。突出壁５０ｄは、貫通孔５０ｃの周縁の一部から押さえ部５０ｂの厚さ方向に突出するように形成されていてもよいし、押さえ部５０ｂの底面における任意の位置に形成されていてもよい。突出壁５０ｄは省略されていてもよい。
【００６７】
○本実施形態では、正極１４の矩形状の本体部１４ｂは、四角形状であったが、矩形状の本体部１４ｂは、四角形状に限定されない。矩形状の本体部１４ｂには、例えば、四角形状の角部が面取りされた形状も含むものとする。負極１５の矩形状の本体部１５ｂも同様である。
【００６８】
○二次電池１０の種類は限定されず、例えば、リチウムイオン二次電池でもよいし、他の二次電池であってもよい。
○蓄電装置は、例えば、キャパシタ等、二次電池１０以外の蓄電装置に適用することも可能である。
【符号の説明】
【００６９】
１０…蓄電装置としての二次電池、１２…電極組立体、１４…電極としての正極、１４ｂ…本体部、１４ｃ…タブとしての正極タブ、１５…電極としての負極、１５ｂ…本体部、１５ｃ…タブとしての負極タブ、１６…セパレータ、１７…積層部、２１…電極端子としての正極端子、２２…電極端子としての負極端子、２４…導電部材としての正極導電部材、２５…導電部材としての負極導電部材、２６…溶接部、３０…タブ群としての正極タブ群、３１…タブ群としての負極タブ群、３０ａ…段差部、３０ｂ…平坦部。
【図１】
2020191209.tif 000003
【図２】
2020191209.tif 000004
【図３】
2020191209.tif 000005
【図４】
2020191209.tif 000006
【図５】
2020191209.tif 000007
【図６】
2020191209.tif 000008
【図７】
2020191209.tif 000009
【図８】
2020191209.tif 000010
【図９】
2020191209.tif 000011
【図１０】
2020191209.tif 000012
【図１１】
2020191209.tif 000013
【図１２】
2020191209.tif 000014
【図１３】
2020191209.tif 000015
【図１４】
2020191209.tif 000016
【図１５】
2020191209.tif 000017
【図１６】
2020191209.tif 000018
【図１７】
2020191209.tif 000019
【図１８】
2020191209.tif 000020
【図１９】
2020191209.tif 000021
【図２０】
2020191209.tif 000022